(57)【要約】【課題】  可搬型平面検出器を多くのＸ線診断装置で共用できるようにする。【解決手段】  Ｘ線発生部５０から被検体へ向けてＸ線を照射したＸ線を平面検出器で検出するＸ線画像診断装置において、平面検出器を、Ｘ線遮蔽部材で形成される支持体２１とこの支持体に着脱可能に支持されるＸ線検出部（可搬型平面検出器１０）とに分離して構成し、支持体はＸ線画像診断装置側に固定されるとともに、可搬型平面検出器が前記支持体に装着されているときのみ、Ｘ線発生部からＸ線の照射を可能とするためのＸ線制御器３０を設けた。  これにより、可搬型平面検出器が軽量化されて着脱の作業負担が軽減され、多数のＸ線画像診断装置で共用することができる。また、可搬型平面検出器が支持体に装着されているときのみＸ線の照射が可能なので安全性が確保される。【選択図】      図４
2010148673.tif 000002
【特許請求の範囲】
【請求項１】
Ｘ線発生部から被検体へ向けてＸ線を照射し、前記被検体を透過したＸ線を平面検出器で検出するＸ線画像診断装置において、
前記平面検出器を、Ｘ線遮蔽部材で形成される支持体とこの支持体に着脱可能に支持されるＸ線検出部とで構成し、
前記支持体は前記Ｘ線画像診断装置側に固定されるとともに、
前記Ｘ線検出部が前記支持体に装着されているときのみ、前記Ｘ線発生部からＸ線の照射を可能とするＸ線制御手段を
具備することを特徴とするＸ線画像診断装置。
【請求項２】
前記Ｘ線検出部は、
マトリックス状に配置される半導体Ｘ線検出素子と、
この半導体Ｘ線検出素子から、ライン毎かつ素子毎にデータを読み出すように制御する読出し制御回路と、
この読出し制御回路により読み出されたアナログデータをデジタルデータに変換するＡ／Ｄ変換回路と、
上記半導体Ｘ線検出素子と前記読出し制御回路および前記Ａ／Ｄ変換回路を保持する保持体と、
から構成されることを特徴とする請求項１に記載のＸ線画像診断装置。
【請求項３】
前記Ｘ線検出部は、ケーブルを介して電気的にＸ線画像診断装置に接続されることを特徴とする請求項１または請求項２のいずれか１項に記載のＸ線画像診断装置。
【請求項４】
前記Ｘ線検出部は、電波、音波、光などの無線手段を介してＸ線画像診断装置に接続されることを特徴とする請求項１または請求項２のいずれか１項に記載のＸ線画像診断装置。
【請求項５】
前記Ｘ線検出部は、表面が保護膜で覆われるとともに、前記保持体に取っ手が設けられていることを特徴とする請求項１ないし請求項４のいずれか１項に記載のＸ線画像診断装置。
【請求項６】
マトリックス状に配置される半導体Ｘ線検出素子と、
この半導体Ｘ線検出素子から、ライン毎かつ素子毎にデータを読み出すように制御する読出し制御回路と、
この読出し制御回路により読み出されたアナログデータをデジタルデータに変換するＡ／Ｄ変換回路と、
上記半導体Ｘ線検出素子と前記読出し制御回路および前記Ａ／Ｄ変換回路を保持する保持体と、
この保持体に設けた取っ手と、
を具備することを特徴とする可搬型平面検出器。
【発明の詳細な説明】
【技術分野】
【０００１】
本発明は、Ｘ線検出手段として、例えば半導体アレイで形成される平面検出器を用いたＸ線画像診断装置および可搬型平面検出器に関する。
【背景技術】
【０００２】
Ｘ線画像診断装置においてＸ線画像を生成する手段として、従来からＸ線フィルムやＸ線像を可視光像に変換するイメージインテンシファイア（Image Intensifier：Ｉ．Ｉ．）の出力蛍光面に形成された可視光像をテレビカメラで撮影するものが使用されている。近時これらに代えて、例えば半導体Ｘ線検出素子をアレイ状に平面的に配列して形成される平面検出器（Flat Panel Detector：ＦＰＤ）が用いられるようになってきた。
【０００３】
そこで先ず、平面検出器の概要について、図７ないし図９を参照して説明する。
【０００４】
図７は、平面検出器の主要部となる薄膜トランジスタ（Thin Film Transistor：ＴＦＴ）とフォトダイオード（Photodiode：ＰＤ）を用いたＸ線検出部の構造を示した断面図である。
【０００５】
図７に示すように、基板１０１上には複数のＴＦＴ領域と複数のＰＤ領域が形成される。ＴＦＴ領域にはゲート電極１０２が形成され、その上にＳｉＮｘ層１０３が形成される。このＳｉＮｘ層１０３の上には、ＴＦＴ領域ａ・Ｓｉ層１０４およびドレイン電極１０５、ソース電極１０６が形成される。なお、ドレイン電極１０５とソース電極１０６とは、ａ・Ｓｉ層１０４を介して接続されており、直接接触しないようになっている。また、ドレイン電極１０５およびソース電極１０６とａ・Ｓｉ層１０４との間の隙間には、ｎ＋ａ・Ｓｉ層が形成されている。このようにして、ＴＦＴ領域にＴＦＴが形成される。
【０００６】
一方、基板１０１上のＰＤ領域には、ＳｉＮｘ層１０３およびソース電極１０６が形成されており、その上にｎ＋層１０９、ｉ層１１０、Ｐ＋層１１１から成るＰｉｎ構造のフォトダイオードが形成される。
【０００７】
このように形成されたＴＦＴ上に第１のポリイミド樹脂層１１２が形成され、フォトダイオード上には透明電極１１３が形成されている。そして、第１のポリイミド樹脂層１１２上には、フォトダイオードの透明電極１１３間を接続する金属電極１１４が形成されている。
【０００８】
また、フォトダイオードの透明電極１１３および金属電極１１４の上には、第２のポリイミド樹脂層１１５が形成されている。さらにこの第２のポリイミド樹脂層１１５の上には、透明保護膜１１６、蛍光体１１７、光反射層１１８が順次形成されている。
【０００９】
なお、上記のように形成されたＴＦＴとフォトダイオードとの回路接続を示すと、図８のようになる。すなわち、図８において、フォトダイオード１２１は、蓄積用コンデンサ１２２と並列に接続され、フォトダイオード１２１のカソード端子と蓄積用コンデンサ１２２との接続点は、ＴＦＴ１２３のソース端子（図７におけるソース電極１０６）に接続されている。また、後述するが、ＴＦＴ１２３のゲート端子（図７におけるゲート電極１０２）は、ゲート駆動ラインに接続され、そのドレイン端子（図７におけるドレイン電極１０５）は、データ信号ラインに接続されている。このようにして、１つのＸ線検出素子が構成され、このＸ線検出素子が２次元的にマトリクス状に配列されてＸ線検出部が構成される。
【００１０】
次に、Ｘ線検出部の回路構成を、図９に基づき説明する。図９は、平面検出器におけるＸ線検出部の要部構成を示した回路図である。
【００１１】
平面検出器におけるＸ線検出部は、フォトダイオード１２１と蓄積用コンデンサ１２２とから形成されるＸ線検出素子１２４（上述のＴＦＴ１２３を含めてもよい）を１素子として、これを列およびライン状のマトリクス状に２次元的に配列して構成されている。
【００１２】
そして、ＴＦＴ１２３のゲート端子は、ライン毎にゲート駆動ラインとして共通に接続され、ゲートドライバー１２５の各ライン出力端子に接続されている。また、ＴＦＴ１２３のドレイン端子は、列毎にデータ信号ラインとして共通に接続され、リードアウトアンプ（Read-out  Amplifier）と時定数用コンデンサおよび図示しないリセット用のスイッチとから成る積分回路１２６を介して、マルチプレクサ１２７の各入力端子に接続されている。
【００１３】
なお、ゲートドライバー１２５の各ライン出力端子からは、それぞれ時系列的に順番にパルス状の制御信号が出力されるようになっている。従って、このパルス状の制御信号によって、同じラインのＴＦＴ１２３は同時にＯＮ動作するとともに、異なるラインのＴＦＴ１２３がそれぞれ重ならないように順番に時系列的にＯＮ動作することになる。
【００１４】
マルチプレクサ１２７は、ゲートドライバー１２５の各ラインの出力端子から出力される１パルスの間に、各入力端子に入力される信号をそれぞれ時系列的に順番に１つずつ取り込んで、その出力端子からＡ／Ｄ変換器１２８へ順次出力するようになっている。
【００１５】
すなわち、ゲートドライバー１２５の各ライン出力端子から出力されたパルス状の制御信号によって、１ラインのＴＦＴ１２３が同時にＯＮ動作すると、蓄積用コンデンサ１２２に蓄積された電荷がＴＦＴ１２３を通過して出力され、この電流は積分回路１２６を介して電圧に変換される。さらに、この電圧に変換された信号はマルチプレクサ１２７により順番に１つずつＡ／Ｄ変換器１２８へ出力される。言い換えると、１ラインの１画素分ずつ信号がＡ／Ｄ変換器１２８へ出力されることになる。
【００１６】
Ａ／Ｄ変換器１２８は、入力されたアナログ信号をデジタル信号に変換して出力する。従って、ライン毎に各Ｘ線検出素子１２４から１素子ずつ順番に検出信号を読み取って、テレビジョンの走査線のように、１画面分の撮影データとして出力するようになっている。なお、ゲートドライバー１２５およびマルチプレクサ１２７は、上記の作用から明らかなように、読出し制御回路を構成していると言うことができる。
【００１７】
このように構成された平面検出器のＸ線検出部には、その上方から被検体を透過したＸ線が照射される。すなわちＸ線は、図７に示した光反射層１１８を透過して蛍光体１１７へ入射されることになるが、上方から入射される可視光は、光反射層１１８で反射するため、光反射層１１８には入射されない。そして、蛍光体１１７へ入射したＸ線のエネルギーは光のエネルギー（可視光）に変換され、透明保護膜１１６および第２のポリイミド樹脂層１１５を透過し、さらに透明電極１１３を介して可視光に感度のあるｎ＋層１０９、ｉ層１１０、Ｐ＋層１１１から成るフォトダイオード１２１（図８参照）により受光される。
【００１８】
このフォトダイオード１２１によって光の強弱に比例した電荷量に変換され、それが蓄積用コンデンサ１２２に蓄積される。さらに蓄積された電荷は、上述のように、ＴＦＴ１２３によってデータ信号ラインを通してライン毎に画素単位（列毎）に読み出される。読み出された信号は、Ｘ線の強弱に比例したものなので、画素単位で読み出された信号を再構成することによって、Ｘ線画像を再現することができる。
【００１９】
このようなＸ線検出部を有する平面検出器は、各種Ｘ線画像診断装置の撮影部に設置されて、Ｘ線フィルムやイメージインテンシファイアの代わりとして使用される。またＸ線画像診断装置としては、据え置き型のＸ線画像診断装置ばかりでなく、移動型のＸ線診断装置にも平面検出器が搭載されるようになってきた（例えば、特許文献１参照。）。そして、この特許文献１に記載されたものは、平面検出器自体がＸ線診断装置に対して着脱自在に構成され、１つの平面検出器を複数のＸ線診断装置で共用できるようになっているものであった。
【特許文献１】特開２００７−５３５号公報
【発明の開示】
【発明が解決しようとする課題】
【００２０】
ところで、移動型のＸ線診断装置に搭載される従来の平面検出器は、Ｘ線フィルムカセッテと同様に、上述のＸ線検出部を鉛製のカセッテに収納して一体的に構成されている。そのため平面検出器は５ｋｇ程度とかなりの重さになり、移動型のＸ線診断装置から取り外したり、他の移動型のＸ線診断装置へ装着したりする作業は、女性看護師や力の弱い人にとっては非常に負担になるものであった。
【００２１】
本発明は、このような課題を解決することを目的としてなされたものである。
【課題を解決するための手段】
【００２２】
上述の課題を解決するため、請求項１に記載の発明は、Ｘ線発生部から被検体へ向けてＸ線を照射し、前記被検体を透過したＸ線を平面検出器で検出するＸ線画像診断装置において、前記平面検出器を、Ｘ線遮蔽部材で形成される支持体とこの支持体に着脱可能に支持されるＸ線検出部とで構成し、前記支持体は前記Ｘ線画像診断装置側に固定されるとともに、前記Ｘ線検出部が前記支持体に装着されているときのみ、前記Ｘ線発生部からＸ線の照射を可能とするＸ線制御手段を具備することを特徴とする。
【００２３】
また、請求項２に記載の発明は、請求項１に記載のＸ線画像診断装置において、前記Ｘ線検出部は、マトリックス状に配置される半導体Ｘ線検出素子と、この半導体Ｘ線検出素子から、ライン毎かつ素子毎にデータを読み出すように制御する読出し制御回路と、この読出し制御回路により読み出されたアナログデータをデジタルデータに変換するＡ／Ｄ変換回路と、上記半導体Ｘ線検出素子と前記読出し制御回路および前記Ａ／Ｄ変換回路を保持する保持体と、から構成されることを特徴とする。
【００２４】
また、請求項３に記載の発明は、請求項１または請求項２のいずれか１項に記載のＸ線画像診断装置において、前記Ｘ線検出部は、ケーブルを介して電気的にＸ線画像診断装置に接続されることを特徴とする。
【００２５】
また、請求項４に記載の発明は、請求項１または請求項２のいずれか１項に記載のＸ線画像診断装置において、前記Ｘ線検出部は、電波、音波、光などの無線手段を介してＸ線画像診断装置に接続されることを特徴とする。
【００２６】
また、請求項５に記載の発明は、請求項１ないし請求項４のいずれか１項に記載のＸ線画像診断装置において、前記Ｘ線検出部は、表面が保護膜で覆われるとともに、前記保持体に取っ手が設けられていることを特徴とする。
【００２７】
また、請求項６に記載の発明は、マトリックス状に配置される半導体Ｘ線検出素子と、この半導体Ｘ線検出素子から、ライン毎かつ素子毎にデータを読み出すように制御する読出し制御回路と、この読出し制御回路により読み出されたアナログデータをデジタルデータに変換するＡ／Ｄ変換回路と、上記半導体Ｘ線検出素子と前記読出し制御回路および前記Ａ／Ｄ変換回路を保持する保持体と、この保持体に設けた取っ手とを具備することを特徴とする可搬型平面検出器である。
【発明の効果】
【００２８】
上記課題を解決するための手段の項にも示したとおり、本発明の特許請求の範囲に記載する各請求項の発明によれば、次のような効果を奏する。
【００２９】
請求項１に記載の発明によれば、平面検出器を、Ｘ線遮蔽部材で形成される支持体とＸ線検出部とに分離して構成し、Ｘ線画像診断装置側に固定しておく支持体に、Ｘ線検出部を適宜着脱可能に装着できるようにしたので、Ｘ線検出部が軽量化されて着脱時の作業負担が軽減される。従って、１つのＸ線検出部を多数のＸ線画像診断装置で利用することが可能となり、高価なＸ線検出部の利用効率を向上することができる。さらに、Ｘ線検出部が支持体に装着されているときのみ、Ｘ線画像診断装置におけるＸ線の照射を可能とするので、安全性が確保されるとともに、無駄なＸ線の照射を防止して被検体のＸ線被爆を軽減することができる。
【００３０】
請求項５に記載の発明によれば、Ｘ線検出部に取っ手を設けたので、Ｘ線検出部の持ち運びが容易であり、或るＸ線画像診断装置からＸ線検出部を外して他のＸ線画像診断装置へ装着する移し替えの作業が、力の弱い者でも容易に実施できるようになり、Ｘ線画像診断装置の運用効率を向上することができる。
【００３１】
請求項６に記載の発明によれば、軽量化されて持ち運びが容易であり、多数のＸ線画像診断装置に移し替えて共用することを可能にした可搬型平面検出器が提供される。
【発明を実施するための最良の形態】
【００３２】
以下、本発明に係るＸ線画像診断装置および可搬型平面検出器の一実施例について、図１ないし図６を参照して詳細に説明する。なお、これらの図において、同一部分には同一符号を付して示してある。
【００３３】
図１は、本発明に係るＸ線画像診断装置で使用される可搬型平面検出器の一実施例の概略的な構造を説明するために示したものである。図１において符号１１を付した部分は、図７ないし図９によって説明したＸ線検出部に相当する。このＸ線検出部１１は、保持体１２に保持され、表面側はカバー１３で覆われている。Ｘ線検出部１１からは、先端にコネクタ１４を有するケーブル１５が引き出されている。保持体１２には取っ手１６（図２参照）が設けられており、これらによって可搬型平面検出器１０を構成する。図２は、可搬型平面検出器１０の外観を示した斜視図である。
【００３４】
この可搬型平面検出器１０は、図示しないＸ線画像診断装置本体に備えられている支持体２１に装着される。具体的には、保持体１２が支持体２１の所定位置に装着されることになる。なお、支持体２１は例えば鉛のようなＸ線吸収の大きな材料で形成されている。また、ケーブル１５のコネクタ１４は、Ｘ線画像診断装置本体側に設けられているコネクタと結合され、Ｘ線検出部１１との信号の授受や電源供給などが行われる。
【００３５】
次に、支持体２１に可搬型平面検出器１０を装着して使用する際の、安全装置について説明する。
【００３６】
この安全装置は、支持体２１に可搬型平面検出器１０が正しく装着されているときのみ、Ｘ線画像診断装置のＸ線管からＸ線を照射できるようにするためのものであり、可搬型平面検出器１０が支持体２１に装着されていなければ、Ｘ線画像データを収集することができないので、このような場合にＸ線が照射されないようにして、被検体の無用なＸ線被爆を阻止するためのものである。よって、この安全装置は、Ｘ線の照射を許可したり不許可にしたりするＸ線制御器として機能するものである。
【００３７】
図３は、本発明に係るＸ線画像診断装置で使用される、上述のＸ線制御器としての安全装置の一例を示したものである。ここでは、支持体２１に可搬型平面検出器１０を固定するとともに、可搬型平面検出器１０が正しく装着されていることを検出するために、支持体２１側にフック２２を設け、可搬型平面検出器１０の保持体１２に係合用の爪１２ａを設けたものである。従って、フック２２を爪１２ａに係合させることによって、可搬型平面検出器１０が支持体２１にしっかり固定されるとともに、フック２２が爪１２ａに係合したことを電気的または磁気的に検出し、その検出信号に基づきＸ線画像診断装置のＸ線管からＸ線を照射できるようにする。
【００３８】
図４は、本発明に係るＸ線画像診断装置の機能を説明するために示したブロック図である。図４において符号３０を付したものは、図３に示したフック２２が爪１２ａに係合したことを電気的または磁気的に検出する手段によって構成される安全装置としてのＸ線制御器を示している。Ｘ線制御器３０の出力は、制御部４０に供給される。制御部４０は、Ｘ線画像診断装置全体を有機的に制御するものであり、可搬型平面検出器１０への駆動用電源供給や可搬型平面検出器１０からの信号の収集は勿論のこと、Ｘ線管を有するＸ線発生部５０、可搬型平面検出器１０によって取得されたＸ線検出信号に基づきＸ線画像を再構成する画像処理部６０、Ｘ線発生部５０へ高電圧を供給する電源部７０などの制御を行うものである。
【００３９】
従って、Ｘ線画像診断装置によってＸ線撮影を実施するに当たって、支持体２１に可搬型平面検出器１０が正しく装着されていることを示す所定の出力信号が、Ｘ線制御器３０から制御部４０へ供給されていれば、オペレータがＸ線画像診断装置の図示しないＸ線照射ボタンを押すことによって、制御部４０はＸ線発生部５０や電源部７０に対してＸ線の照射を可能にする照射信号を供給し、これを受けてＸ線発生部５０から被検体へ向けてＸ線が照射される。しかし、Ｘ線制御器３０から所定の信号が制御部４０へ供給されていなければ、オペレータがＸ線照射ボタンを押しても、Ｘ線発生部５０は動作せず、Ｘ線は照射されることはない。
【００４０】
以上詳述したように、本発明による可搬型平面検出器１０は、Ｘ線フィルムカセッテのような鉛製のカセッテを含まず、保持体１２に保持されるＸ線検出部１１を主要構成要素とするものである。従って、各種のＸ線画像診断装置に、Ｘ線遮蔽体で形成された支持体２１を備えておけば、この支持体２１に可搬型平面検出器１０を移し替えて装着するだけで、どのようなＸ線画像診断装置でのＸ線撮影にも適用することができる。
【００４１】
すなわち、本発明に係る可搬型平面検出器１０は、移動型Ｘ線装置をはじめとして、立位撮影台、起倒寝台を備えたＸ線画像診断装置などで適宜使用することができる。図５はこれらの使用例を示したもので、図５（ａ）は立位撮影台での使用例として、床面に立設された立位撮影台８１に、可搬型平面検出器１０を着脱可能とするように、Ｘ線遮蔽体で形成された支持体２１を備えたものを示している。この図では、立位撮影台８１の支持体２１に可搬型平面検出器１０が装着され、その前に被検体Ｐが立ち、その被検体Ｐに対してＸ線が照射される様子が示されている。
【００４２】
一方、図５（ｂ）は起倒寝台での使用例として、被検体Ｐを載置する天板８２を有する起倒寝台８３に、可搬型平面検出器１０を着脱可能とするように、Ｘ線遮蔽体で形成された支持体２１を備えたものを示している。この図では、起倒寝台８３は水平位置にあり、被検体Ｐの上方からＸ線が照射され、天板８２の背面側に設ける可搬型平面検出器１０でＸ線を検出することになる。
【００４３】
このように、本発明に係るＸ線画像診断装置は、多くのＸ線画像診断装置で可搬型平面検出器１０を移し替えて装着するだけで、Ｘ線撮影を実施することができる。そのような場合の機能的な流れを示すと、図６のようになる。
【００４４】
すなわち、検査開始に当たりステップ１として、Ｘ線撮影をしようとするＸ線画像診断装置の支持体２１に、可搬型平面検出器１０を装着する。ここで、ステップ２として、当該Ｘ線画像診断装置は、支持体２１に可搬型平面検出器１０が正しく装着されているか否かを、安全装置としてのＸ線制御器３０からの出力をもとに判断する。Ｘ線制御器３０から所定の出力信号が制御部４０へ供給されていれば、ステップ３として、オペレータがＸ線照射ボタンを押すことによって、Ｘ線発生部５０からＸ線が照射されＸ線撮影が実施される。ただし、ステップ２において、Ｘ線制御器３０から所定の出力信号が制御部４０へ供給されていなければ、可搬型平面検出器１０が支持体２１に正しく装着されていないことを知らせる警報を発するなどして、オペレータに注意を促し、ステップ１へ戻って再度可搬型平面検出器１０を装着させる。この段階では、例えＸ線照射ボタンを押しても、Ｘ線照射がされないことは勿論である。ステップ３でのＸ線照射後ステップ４として、当該可搬型平面検出器１０を別のＸ線画像診断装置で使用するか否かを判断し、使用する予定があれば当該可搬型平面検出器１０を別のＸ線画像診断装置へ移し替えて装着し、使用予定がなければ検査終了となる
以上詳述したように、本発明で使用する可搬型平面検出器は、鉛のようなＸ線遮蔽体を含まず、マトリックス状に配置される半導体Ｘ線検出素子を主体としたＸ線検出部で構成し、このＸ線検出部を、Ｘ線画像診断装置側に設置した鉛のようなＸ線遮蔽体から成る支持体に装着して使用できるようにしたものである。従って、この可搬型平面検出器は軽量化され、種々のＸ線画像診断装置に移し替えて装着することが容易となり、移し替えの作業負担が極めて軽減されるとともに、多くのＸ線画像診断装置で可搬型平面検出器を共用することが可能となる。
【００４５】
なお、本発明は上述の一実施例に限定されることなく、種々の形態での実施が可能である。例えば、支持体２１に可搬型平面検出器１０を装着したり、正しく装着されていることを検出したりする手段として、図３にフック２２と爪１２ａを用いるものを示したが、これは単なる例示であり、幾多の公知の手段が適宜採用可能であることは言うまでもない。
【図面の簡単な説明】
【００４６】
【図１】本発明に係るＸ線画像診断装置で使用される可搬型平面検出器の一実施例の概略的な構造を説明するために示した図である。
【図２】本発明に係る可搬型平面検出器の外観を示した斜視図である。
【図３】本発明に係るＸ線画像診断装置で使用される安全装置としてのＸ線制御器の一例の説明図である。
【図４】本発明に係るＸ線画像診断装置の機能を説明するために示したブロック図である。
【図５】本発明における可搬型平面検出器の適用例を説明するために示した図である。
【図６】本発明の機能的な流れを説明するために示したフローチャートである。
【図７】平面検出器におけるＸ線検出部の主要部の構造を説明する断面図である。
【図８】平面検出器におけるＸ線検出素子の回路図である。
【図９】平面検出器におけるＸ線検出部の主要構成を示した回路図である。
【符号の説明】
【００４７】
１０  可搬型平面検出器
２１  支持部
３０  Ｘ線制御器
４０  制御部
５０  Ｘ線発生部
６０  画像処理部
７０  電源部
【図１】
2010148673.tif 000003
【図２】
2010148673.tif 000004
【図３】
2010148673.tif 000005
【図４】
2010148673.tif 000006
【図５】
2010148673.tif 000007
【図６】
2010148673.tif 000008
【図７】
2010148673.tif 000009
【図８】
2010148673.tif 000010
【図９】
2010148673.tif 000011